(57)【要約】【課題】容器本体内の内容物に対して可能な限り外気がふれることを防止することができる容器とホルダの組合体を提供する。【解決手段】注出口付容器１０は容器本体２５と、容器本体２５に取付けられた注出口１１とを備えている。注出口１１は容器本体２５に融着された一対の取付板１４と、取付板１４から外方へ突出する筒状部１２とを有している。筒状部１２内に薄肉部１８ａを介してシール板１８が取付けられている。注出口１１に、シール板１１を開封する突き刺しノズル５８を有する注出キャップ５０が装着されている。注出口付容器１０は、ホルダ３０により保持されている。【選択図】　図７
2004067183.tif 000002
【特許請求の範囲】
【請求項１】
容器本体と、容器本体に取付けられた注出口とを備え、この注出口は容器本体の一側に融着された取付部と、取付部から外方へ突出するとともに外面に外ねじを有する筒状部とを有し、注出口内に破断自在のシール板を取付けた注出口付容器と、
注出口付容器の注出口に装着され、注出ノズルと、この注出ノズルに連通する逆止弁と、シール板を開封する突き刺しノズルと、注出ノズルを開閉する開閉蓋とを有する注出キャップと、
注出口付容器を保持するホルダと、
を備えたことを特徴とする容器とホルダの組立体。
【請求項２】
ホルダは対向する２側面に開口を有する筐体状となっており、
ホルダの上面に一側面の開口に連通する上面スリットが設けられ、
注出口はこの上面スリット内に挿入されることを特徴とする請求項１記載の容器とホルダの組立体。
【請求項３】
注出口は下方フランジと、下方フランジの上方に位置する上方フランジとを有し、
下方フランジと上方フランジとの間に、上面スリットの側縁が配置されることを特徴とする請求項２記載の容器とホルダの組立体。
【請求項４】
ホルダの上面スリットの側縁に、注出口を保持する保持突起が設けられていることを特徴とする請求項２記載の容器とホルダの組立体。
【請求項５】
注出口のうち上方フランジと下方フランジとの間の筒状部は、ホルダの上面スリットの幅と同一の直径を有することを特徴とする請求項３記載の容器とホルダの組立体。
【請求項６】
ホルダの上面に、上方フランジまたは下方フランジのいずれか一方と係合するガイド段部が形成され、
ガイド段部に係合するフランジは多角形状を有していることを特徴とする請求項３記載の容器とホルダの組立体。
【請求項７】
ホルダ内のうち他側面の開口近傍に、容器本体をこの他側面の開口へ導く案内リブが設けられていることを特徴とする請求項２記載の容器とホルダの組立体。
【請求項８】
ホルダの上面に上方へ突出するストッパと、ストッパ近傍に位置するとともに半径方向外方へ突出するラチェットとが設けられ、
注出キャップの内面に、ストッパに係合する第１リブと、ラチェットを乗り越える第２リブとが設けられ、
ストッパと第１リブとによって注出キャップの時計方向の動きが規制され、ラチェットと第２リブとによって注出キャップの反時計方向の動きが規制されることを特徴とする請求項１記載の容器とホルダの組立体。
【請求項９】
突き刺しノズルの下端部には、シール板を破断させる先端を有する傾斜面が形成され、
注出キャップは注出口にねじ係合しており、
突き刺しノズルの先端がシール板に当接してから注出キャップが１／２回転以上１回転未満の範囲内で所定回転した場合に、ストッパと第１リブが係合することを特徴とする請求項８記載の容器とホルダの組立体。
【請求項１０】
突き刺しノズルの外周に、注出口の内面に当接するＯリングが設けられ、このＯリングにより、突き刺しノズルがシール板を開封した後容器本体内の内容物が外気にふれることを防止することを特徴とする請求項１記載の容器とホルダの組立体。
【発明の詳細な説明】
【０００１】
【発明の属する技術分野】
本発明は流体食品等の内容物を収納する注出口付容器を有する容器とホルダの組立体に係り、とりわけ外気を効果的に遮断することができる容器とホルダの組立体に関する。
【０００２】
【従来の技術】
従来より流体食品を収納する注出口付容器として、内容物が充てんされた容器本体と、容器本体に取付けられた注出口と、注出口に装着されたキャップとを有するものが知られている。
【０００３】
使用時において、キャップを注出口から取外し、その後容器本体を傾けることにより、容器本体内の内容物を注出口から外方へ排出している。
【０００４】
【発明が解決しようとする課題】
上述のように容器本体内に充てんされた内容物は注出口から排出されるが、内容物が酒や油調味料などの酸化しやすいものは一度キャップを外すと内容物と外気がふれ、品質の劣化や味の低下が生じるものが多い。。
【０００５】
本発明はこのような点を考慮してなされたものであり、容器本体内の内容物と外気とを効果的に遮断することができる容器とホルダの組立体を提供することを目的とする。
【０００６】
【課題を解決するための手段】
本発明は、容器本体と、容器本体に取付けられた注出口とを備え、この注出口は容器本体の一側に融着された取付部と、取付部から外方へ突出するとともに外面に外ねじを有する筒状部とを有し、注出口内に破断自在のシール板を取付けた注出口付容器と、注出口付容器の注出口に装着され、注出ノズルと、この注出ノズルに連通する逆止弁と、シール板を開封する突き刺しノズルと、注出ノズルを開閉する開閉蓋とを有する注出キャップと、注出口付容器を保持するホルダと、を備えたことを特徴とする容器とホルダの組立体である。
【０００７】
本発明は、ホルダは対向する２側面に開口を有する筐体状となっており、ホルダの上面に一側面の開口に連通する上面スリットが設けられ、注出口はこの上面スリット内に挿入されることを特徴とする容器とホルダの組立体である。
【０００８】
本発明は、注出口は下方フランジと、下方フランジの上方に位置する上方フランジとを有し、下方フランジと上方フランジとの間に、上面スリットの側縁が配置されることを特徴とする容器とホルダの組立体である。
【０００９】
本発明は、ホルダの上面スリットの側縁に、注出口を保持する保持突起が設けられていることを特徴とする容器とホルダの組立体である。
【００１０】
本発明は、注出口のうち上方フランジと下方フランジとの間の筒状部はホルダの上面スリットの幅と同一の直径を有することを特徴とする容器とホルダの組立体である。
【００１１】
本発明は、ホルダの上面に、上方フランジまたは下方フランジのいずれか一方と係合するガイド段部が形成され、ガイド段部に係合するフランジは多角形状を有していることを特徴とする容器とホルダの組立体である。
【００１２】
本発明は、ホルダ内のうち他側面の開口近傍に、容器本体をこの他側面の開口へ導く案内リブが設けられていることを特徴とする容器とホルダの組立体である。
【００１３】
本発明は、ホルダの上面に上方へ突出するストッパと、ストッパ近傍に位置するとともに半径方向外方へ突出するラチェットとが設けられ、注出キャップの内面に、ストッパに係合する第１リブと、ラチェットを乗り越える第２リブとが設けられ、ストッパと第１リブとによって注出キャップの時計方向の動きが規制され、ラチェットと第２リブとによって注出キャップの反時計方向の動きが規制されることを特徴とする容器とホルダの組立体である。
【００１４】
本発明は、突き刺しノズルの下端部には、シール板を破断させる先端を有する傾斜面が形成され、注出キャップは注出口にねじ係合しており、突き刺しノズルの先端がシール板に当接してから注出キャップが１／２回転以上１回転未満の範囲内で所定回転した場合に、ストッパと第１リブが係合することを特徴とする容器とホルダの組立体である。
【００１５】
本発明は、突き刺しノズルの外周に、注出口の内面に当接するＯリングが設けられ、このＯリングにより、突き刺しノズルがシール板を開封した後容器本体内の内容物が外気にふれることを防止することを特徴とする容器とホルダの組立体である。
【００１６】
【発明の実施の形態】
以下、図面を参照して本発明の実施の形態について説明する。
【００１７】
図１乃至図１１は本発明による容器とホルダの組立体を示す図である。
【００１８】
図５乃至図７に示すように、本発明による容器とホルダの組立体は、注出口１１を有する注出口付容器１０と、注出口付容器１０を保持するホルダ３０と、注出口付容器１０の注出口１１に装着される注出ノズル５０とを備えている。
【００１９】
このような容器とホルダの組立体のうち、まず図１乃至図３により注出口付き容器１０について説明する。図１乃至図３に示すように、注出口付容器１０は内容物、例えば液体食品を収納する容器本体２５と、容器本体２５に取付けられた注出口１１と、注出口１１に装着されたキャップ２０とを備えている。
【００２０】
このうち容器本体２５はスタンディングパウチタイプの容器本体、あるいはガゼットタイプの容器本体からなり、内部に液体食品が収納されている。
【００２１】
このような容器本体２５は、例えばポリエチレン（ＰＥ）、ナイロン、ポリエチレンテレフタレート（ＰＥＴ）、およびアルミ（Ａｌ）等の積層材から構成され、その内層は注出口１１と同一の材料からなっている。
【００２２】
また注出口１１は容器本体２５に融着されて固着されるようになっており、注出口１１は容器本体２５の一側に融着される一対の取付板（取付部）１４と、一対の取付板１４から外方へ突出するとともに外面に外ねじ１２ａを有する筒状部１２とを有している。
【００２３】
一対の取付板１４は、船形の外形を有し、容器本体２５の一側内面に挿入され、この容器本体２５の内面に融着されるようになっている（図２（ａ）（ｂ））。ここで図２（ａ）は注出口の外面図であり、図２（ｂ）は図２（ａ）のＢ線方向矢視図である。
【００２４】
さらに一対の取付板１４内側には、筒状部１２に連通するとともに、容器本体２５内に延びる連通口１３が設けられている。
【００２５】
筒状部１２の外面には、外ねじ１２ａから下方に向って順次バンド止め突部１７と、バンド止めフランジ１６が設けられている。このバンド止め突部１７とバンド止めフランジ１６は、後述するキャップ２０のピルファープルーフバンド２１を上下方向から係止するものである。
【００２６】
また一対の取付板１４の上方には、容器本体２５の上端が係合する取付フランジ１５が設けられている。
【００２７】
また筒状部１２の内部下方には、シール板１８が取付けられている。シール板１８はその外周に薄肉部１８ａを有し、この薄肉部１８ａを介して筒状部１２内面に固着され、筒状部１２内を封止している。またシール板１８の位置は一対の取付板１４の上方に位置している。
【００２８】
次に図３により、キャップ２０について説明する。キャップ２０はその内面に、筒状部１２の外ねじ１２ａに係合する内ねじ２０ａを有している。またキャップ２０はその下方部分に、ピルファープルーフバンド２１を有している。このピルファープルーフバンド２１は薄肉部２２を介してキャップ２０ａのキャップ本体２０ｂに分離自在に取付けられており、内ねじ２０ａはキャップ本体２０ｂ側に設けられている。
【００２９】
またピルファープルーフバンド２１はその内側に円周状の突起２１ａを有しており、注出口１１の筒状部１２の外面にはバンド止め突部１７とバンド止めフランジ１６との間にバンド止めリブ１９が設けられている。ピルファープルーフバンド２１がキャップ本体２０ｂから分離した場合、ピルファープルーフバンド２１はバンド止め突部１７とバンド止めフランジ１６とによって上下方向の動きが規制される。同時にピルファープルーフバンド２１の円周状突起２１ａがバンド止めリブ１９に当接して、ピルファープルーフバンド２１の半径方向の動きも規制される。
【００３０】
なお、注出口１１およびキャップ２０は、いずれもポリエチレン（ＰＥ）、高密度ポリエチレン（ＨＤＰＥ）あるいはポリプロピレン（ＰＰ）から構成されている。
【００３１】
図１乃至図３において、まず注出口１１に予めキャップ２０を装着しておく。次に容器本体２５の一側にキャップ２０が装着された注出口１１が取付けられる。この場合、注出口１１の一対の取付板１４を容器本体２５の一側にヒートシールして融着することにより、注出口１１が容器本体２５に取付けられる。その後容器本体２５の図示しない開口から液体食品等の内容物が充てんされた後、容器本体２５の開口がヒートシールされる。
【００３２】
このようにして、容器本体２５と、注出口１１と、キャップ２０とからなる注出口付容器１０が得られる（図３）。
【００３３】
この場合、キャップ２０のキャップ本体２０ｂとピルファープルーフバンド２１とは薄肉部２２を介して連結されている。
【００３４】
次に図４により注出口１１の変形例について説明する。
【００３５】
図４（ａ）に示すように、注出口１１の筒状部１２内面のうち中間部分に、薄肉部１８ａを介してシール板１８が取付けられている。また注出口１１の筒状部１２は、連通口１３より小さな内径を有している。
【００３６】
図４（ａ）において、シール板１８は筒状部１２の中間部分に設けられているので、一対の取付板１４を容器本体２５内にヒートシールする際、シール板１８がシール熱の影響を受けることはほとんどない。
【００３７】
また図４（ｂ）に示すように、注出口１１の筒状部に内面のうち上方部分に、薄肉部１８ａを介してシール板１８を取付けてもよい。注出口１１の筒状部１２は、連通口１３と略同一内径を有している。
【００３８】
次に図５乃至図１１により、容器とホルダの組立体を構成するホルダ３０および注出キャップ５０について説明する。
【００３９】
このうち注出キャップ５０は注出口付容器１０の注出口１１に装着されるものであり、図７（ａ）−（ｃ）に示すように、注出口１１の筒状部１２外面に設けられた外ねじ１２ａに係合する内ねじ５４ａを有する内筒５４と、内筒５４の外側に配置されるとともに後述するホルダ３０の上面に係合する外筒５３とを有している。また内筒５４の内側には液体食品等の内容物が流れる流通シリンダ６２を有する突き刺しノズル５８が設けられ、流通シリンダ６２内には弁座６２ａが形成されている。また、流通シリンダ６２内には、弁座６２ａに当接するボール（逆止弁）６３が移動自在に設けられている。
【００４０】
突き刺しノズル５８の流通シリンダ６２の下端外周にはＯリング６４が設けられ、さらに流通シリンダ６２の下端には下方に向って突き刺しノズル５８の下端部が延在している。
【００４１】
Ｏリング６４は筒状部１２の内面に当接しており、突き刺しノズル５８がシール板１８を開封した後でも容器本体２５内の内容物が外気にふれることはない。
【００４２】
この突き刺しノズル５８は円筒状をなし、その下端部には、先端６０を有する傾斜面５９が形成されている。この突き刺しノズル５８はその先端６０により注出口１１のシール板１８を開封するものである。この場合、突き刺しノズル５８は、後述のように突き刺しノズル５８の先端６０がシール板１８に当接してから注出キャップ５０を注出口１１に対して所定の範囲内で回転させることにより、具体的には１／２回転以上１回転未満の範囲内で回転させることにより、例えば本発明の実施の形態においては３／４回転させることにより、シール板１８を開封するようになっている。
【００４３】
また流通シリンダ６２の上端には、上方へ向って注出ノズル５１が延在しており、さらに内筒５４と外筒５３は各々の上端がキャップ上面５０ａに連結されている。このキャップ上面５０ａには注出ノズル５１を開閉する開閉蓋５２が揺動自在に取り付けられている。
【００４４】
また外筒５３内面には、後述するホルダ３０のストッパ３２に係合する第１リブ５５と、ホルダ３０のラチェット３３に係合する第２リブ５６とが各々設けられている。
【００４５】
次に図５乃至図６および図８乃至図１１により、ホルダ３０について説明する。
【００４６】
ホルダ３０は注出口付容器１０を保持するものであり、上面３１と、４つの側面３４，３５，４４，４５と、底面４６とを有し、全体として筐体状をなしている。
【００４７】
ホルダ３０の対向する側面３４，３５には、注出口付容器１０の容器本体２５が突出する開口３４ａ，３５ａが形成されている。
【００４８】
またホルダ３０の上面３１には注出口付容器１０の注出口１１が挿入される上面スリット３６が設けられ、この上面スリット３６は一方の側面３４の開口３４ａに連通している。注出口１１が上面スリット３６内に挿入される場合、上面スリット３６の側縁３６ａは注出口１１の取付フランジ（下方フランジ）１５と、バンド止めフランジ（上方フランジ）１６との間に位置するようになっている。
【００４９】
また注出口１１のうち取付フランジ１５とバンド止めフランジ１６との間の筒状部１２は、上面スリット３６側縁３６ａ間の幅Ｌと略同一の直径を有しており、このため注出口１１を上面スリット３６内にスムースに、かつがたつくことなく挿入することができる。
【００５０】
また上面３１に設けられた上面スリット３６の側縁３６ａに、内側に向かって一対の保持突起３７が設けられている。この保持突起３７は注出口１１を上面スリット３６内に挿入した場合に、注出口１１の筒状部１２と係止して注出口１１を上面スリット３６内に保持するものである。
【００５１】
またホルダ３０の上面３１には、その表面側に注出口１１のバンド止めフランジ１６と係合するガイド段部３８が設けられている。バンド止めフランジ１６は多角形状、例えば八角形状をなし、このバンド止めフランジ１６の外縁がガイド段部３８に係合することにより注出口１１の回転運動を規制している。
【００５２】
またガイド段部３８の端部には、八角形状のバンド止めフランジ１６に対応する多角形状部３８ａが形成されている。注出口１１を上面スリット３６内に挿入した後、注出口１１を多角形状部３８ａまでもっていった場合、注出口１１の筒状部１２を保持突起３７により保持するとともに、多角形状部３８ａに注出口１１のバンド止めフランジ１６を係合させて注出口１１の回転移動を規制している。
【００５３】
なお、ホルダ３０の上面３１には、注出キャップ５０の外筒５３に係合する係合リブ３９が円周状に形成されており、この円周状の係合リブ３９の外周には外筒５３の内周面に当接して注出キャップ５０のがたつきを防止するがた止め突起３９ａが設けられている。
【００５４】
またホルダ３０に設けられた円周状の係合リブ３９には、上方へ突出するストッパ３２と、ストッパ３２の近傍に配置され半径方向外方へ突出するラチェット３３とが各々設けられている。
【００５５】
このうちストッパ３２は注出キャップ５０の第１リブ５５に係合して注出キャップ５０の時計方向の動きを規制するものである。また注出キャップ５０の第２リブ５６は、ラチェット３３を乗り越えてこのラチェット３３に係合し、これにより注出キャップ５０の反時計方向の動きが規制される。
【００５６】
さらにホルダ３０の他方を側面３５の開口３５ａ近傍に、一方の側面３４側から進入する注出口付容器１０の容器本体２５を他方の側面３５の開口３５ａ側へ導く案内リブ４０が設けられている。この案内リブ４０は、容器本体２５をホルダ３０内に引掛けることなく、スムースに他方の側面３５の開口３５ａ側へ導くものである。
【００５７】
次にこのような構成からなる本実施の形態の作用について説明する。
【００５８】
まず容器本体２５と、注出口１１と、キャップ２０とからなる注出口付容器１０を準備する。
【００５９】
次に注出口付容器１０をホルダ３０内に装着する。この場合、まず注出口付容器１０をホルダ３０の一方の側面３４の開口３４ａからホルダ３０内に挿入するとともに、注出口付容器１０の注出口１１をホルダ３０の上面スリット３６内に挿入する。
【００６０】
この際、注出口１１のうち取付フランジ１５とバンド止めフランジ１６との間の筒状部１２を上面スリット３６内に挿入する。取付フランジ１５とバンド止めフランジ１６との間の筒状部１２の直径は、上面スリット３６の側縁３６ａ間の幅Ｌに略一致しているので、注出口１１をがたつくことなく、スムースに上面スリット３６内に挿入することができる。
【００６１】
上面スリット３６内に挿入された注出口１１は、上面スリット３６内の左端部まで進入する（図８参照）。この間、注出口１１のバンド止めフランジ１６がガイド段部３８に係合するため、注出口１１はガイド段部３８により回転することなくスムースに上面スリット３６の左端部まで案内される。
【００６２】
注出口１１が上面スリット３６の左端部まで達すると、注出口１１の筒状部１２が保持突起３７により保持される。同時に注出口１１のバンド止めフランジ１６がガイド段部３８の多角形状部３８ａに係合するため、注出口１１の回転移動を規制することができる。
【００６３】
このようにして注出口１１を上面スリット３６の左端部に堅固に固定することができる。
【００６４】
次にキャップ２０を回転させて、注出口１１の筒状部１２から取外す。この場合、ピルファープルーフバンド２１はバンド止め突部１７により上方方向への動きが規制されているため、薄肉部２２が破断してピルファープルーフバンド２１がキャップ本体２０ｂから分離して、バンド止め突部１７とバンド止めフランジ１６との間に残る。このことにより、注出口１１の筒状部１２からキャップ２０の本体２０ｂが取外された状態を外部から確認することができる。
【００６５】
また、ピルファープルーフバンド２１はバンド止め突部１７とバンド止めフランジ１６とによって上下方向への動きが規制され、またバンド止めリブ１９により半径方向の動きも規制される。
【００６６】
次に図７（ａ）−（ｃ）により注出口１１に注出キャップ５０を装着する。
【００６７】
まず図７（ａ）に示すように、注出口１１に注出キャップ５０の内筒５４を合わせ、注出口１１の外ねじ１２ａに注出キャップ５０の内筒５４の内ねじ５４ａを係合させ、注出キャップ５０を時計方向に回転させる。
【００６８】
この場合、流通シリンダ６２の外周に設けられているＯリング６４が注出口１１の筒状部１２内面に当接するが、筒状部１２の内径は上方に向かってわずかに大きくなっているためＯリング６４をスムースに筒状部１２内へ挿入されることができる。
【００６９】
更に注出キャップ５０を時計方向に回転させると、注出口１１の外ねじ１２ａと注出キャップ５０内ねじ５４ａが少なくとも１周係合し、突き刺しノズル５８の先端６０がシール板１８に当接する（図７（ｂ））。
【００７０】
更に注出キャップ５０を時計方向に回転させる。突き刺しノズル５８の先端６０がシール板１８に当接した後、所定の範囲内で回転させることにより、具体的には１／２回転以上１回転未満の範囲内で回転させることにより、例えば本発明の実施の形態においては３／４回転した時点で注出キャップ５０の第２リブ５６がホルダ３０のラチェット３３を乗り越え、同時に第１リブ５５がホルダ３０のストッパ３２に係合する。この場合、第１リブ５５とストッパ３２とによって注出キャップ５０の時計方向の動きが規制され、第２リブ５６とラチェット３３とによって注出キャップ５０の反時計方向の動きが規制される（図７（ｃ））。
【００７１】
この間、突き刺しノズル５８の先端６０によってシール板１８の薄肉部１８ａを破断させ、シール板１８を開封することができる。突き刺しノズル５８は、先端６０がシール板１８に当接してから所定の範囲内で回転させることにより、具体的には１／２回転以上１回転未満の範囲内で回転させることにより、例えば本発明の実施の形態においては３／４回転する間にシール板１８を開封するので、突き刺しノズル５８が１回転してシール板１８を開封する場合と比較すると、シール板１８の薄肉部１８ａに破断しない部分を残しておくことができる。このため突き刺しノズル５８により開封されたシール板１８が、注出口１１から容器本体２５内へ落下することを防止することができる。
【００７２】
またシール板１８の薄肉部１８ａは、シール板１８の下方を切欠いて形成されているので、突き刺しノズル５８が薄肉部１８ａに引掛ることはなく、また薄肉部１８ａが破断されたシール板１８を下方へスムースに折曲げることができる。
【００７３】
なお、図７（ｃ）において、注出キャップ５０のＯリング６４は、注出口１１のうち外ねじ１２ａまたはバンド止め突部１７から離れているため、この外ねじ１２ａおよびバンド止め突部１７近傍に生じやすいひけによる密封性の低下を防ぐことができる。
【００７４】
次に、注出キャップ５０の開封蓋５２を開とし、容器とホルダの組合体を引繰り返すことにより、容器本体２５内の内容物を、注出口１１の連通口１３から筒状部１２を介して注出キャップ５０側へ導き、その後注出キャップ５０の流通シリンダ５８から注出ノズル５１を経て、外方へ放出することができる。この場合、ボール６２は注出ノズル５１側へ移動して弁座６２ａから離れる。容器本体２５は軟包装のパウチからなるので、内容物が取出されても外気圧によりパウチがつぶれエアバックすることがない。
【００７５】
次に容器とホルダの組合体を元の位置まで戻して、開閉蓋５２により注出ノズル５１を覆う。このときボール６２は弁座６２ａ上に戻る。また、容器とホルダの組合体を元に戻したときはホール６２が弁座６２ａに戻るので、外気が容器本体２５内に侵入することがない。
【００７６】
以上のように本実施の形態によれば、注出キャップ５０の突き刺しノズル５８を注出口１１内に挿入してシール板１８を破断するまでの間、及び、内容物を取出している間も容器本体２５内の内容物を外気と遮断しておくことができるおくことができる。
【００７７】
【発明の効果】
以上のように本発明によれば、注出口付容器の注出口内に破断自在にシール板を取付けたので、シール板を注出キャップの突き刺しノズルにより破断するまでの間、容器本体内の内容物に対して外気を効率的に遮断することができる。
【図面の簡単な説明】
【図１】本発明による容器とホルダの組合体の注出口付容器を示す断面図。
【図２】本発明による容器とホルダの組合体の注出口付容器の外面を示す拡大図。
【図３】キャップが取付けられた注出口付容器を示す断面図。
【図４】注出口の変形例を示す断面図。
【図５】本発明による容器とホルダの組合体を示す正面図。
【図６】本発明による容器とホルダの組合体を示す側面図。
【図７】注出キャップを注出口に装着する状態を示す図。
【図８】ホルダの上面を示す平面図。
【図９】ホルダの上面を示す拡大図。
【図１０】ホルダの上面を示す拡大側面図。
【図１１】ホルダの上面を裏側からみた図。
【符号の説明】
１０　注出口付容器
１１　注出口
１２　筒状部
１３　連通口
１４　一対の取付板
１５　取付フランジ
１６　バンド止めフランジ
１７　バンド止め突部
１８　シール板
１８ａ　薄肉部
１９　バンド止めリブ
２０　キャップ
２１　ピルファープルーフバンド
２５　容器本体
３０　ホルダ
３１　上面
３２　ストッパ
３３　ラチェット
３４　一方の側面
３４ａ　開口
３５　他方の側面
３５ａ　開口
３６　上面スリット
３８　ガイド段部
４０　案内リブ
５０　注出キャップ
５１　注出ノズル
５２　開閉蓋
５８　突き刺しノズル
６０　先端
【図１】
2004067183.tif 000003
【図２】
2004067183.tif 000004
【図３】
2004067183.tif 000005
【図４】
2004067183.tif 000006
【図５】
2004067183.tif 000007
【図６】
2004067183.tif 000008
【図７】
2004067183.tif 000009
【図８】
2004067183.tif 000010
【図９】
2004067183.tif 000011
【図１０】
2004067183.tif 000012
【図１１】
2004067183.tif 000013